【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
被写体からの光線が所定の面に入射した際の該面上での位置情報と前記面に入射した角度情報とを含む光線情報を符号化する符号化方法であって、
前記被写体からの光線を撮像素子により受光することにより得られる２次元配列のピクセルデータである前記光線情報を、前記ピクセルデータを複数個含み、前記被写体より異なる方向へ広がる前記光線の角度の情報が含まれる複数の２次元ブロックに分割し、
前記２次元ブロックを複数個毎にまとめたものを処理単位ブロックとして複数の処理単位ブロックを取得し、
前記複数の処理単位ブロックの各々に対して第１の圧縮符号化を施して前記被写体に関連する第１の画像情報を構成する第１のブロック単位情報を取得する第１の符号化処理と、前記複数の処理単位ブロックの各々に対して第２の圧縮符号化を施して前記第１の画像情報とは異なる種類の第２の画像情報を構成する第２のブロック単位情報を取得する第２の符号化処理とを前記処理単位ブロック毎に実行する、
ことを特徴とする符号化方法。
【請求項２】
前記第１の符号化処理は、前記処理単位ブロック内の前記複数の２次元ブロックにおける所定のピクセルのピクセルデータを符号化処理の対象とし、
前記第２の符号化処理は、前記所定のピクセル以外のその他のピクセルのピクセルデータを符号化処理の対象とすることを特徴とする請求項１に記載の符号化方法。
【請求項３】
前記第２の符号化処理は、前記２次元ブロック内において、前記所定のピクセルを基点として隣接したピクセルのピクセルデータ間の差分データを順次生成し、前記生成された複数の差分データを１次元配列することにより得られるワードを符号化する処理であることを特徴とする請求項２に記載の符号化方法。
【請求項４】
前記第２の符号化処理は、前記所定のピクセル以外のその他のピクセルのうちの一部のピクセルを符号化の対象外とすることを特徴とする請求項２又は３に記載の符号化方法。
【請求項５】
前記第１の符号化処理および前記第２の符号化処理は並列に実行されることを特徴とする請求項１に記載の符号化方法。
【請求項６】
前記第１の符号化処理は非可逆圧縮処理であり、前記第２の符号化処理は可逆圧縮処理であることを特徴とする請求項５に記載の符号化方法。
【請求項７】
前記第１の符号化処理は空間周波数変換に基づいた符号化処理であり、
前記第２の符号化処理はＬＺ符号化に基づいた符号化方式を用いることを特徴とする請求項６に記載の符号化方法。
【請求項８】
フォーカスレンズと、
前記フォーカスレンズの焦点位置に配置され複数のマイクロレンズからなるマイクロレンズアレイと、
前記フォーカスレンズと前記複数のマイクロレンズの各々を順に通って形成された被写体像を電気信号に変換する２次元配置された複数のピクセルからなる撮像素子と、
前記複数のピクセルの受光結果に応じた光線情報を符号化する符号化部と、
を具備し、
前記光線情報は、前記フォーカスレンズと前記複数のマイクロレンズの各々を通って前記複数のピクセルに入射した被写体からの光線が前記マイクロレンズアレイの面に入射した際の該面上での位置情報と前記面に入射した角度情報との情報を含み、
前記被写体からの光線を撮像素子により受光することにより得られる２次元配列のピクセルデータである前記光線情報を、前記ピクセルデータを複数個含み、前記被写体より異なる方向へ広がる前記光線の角度の情報が含まれる複数の２次元ブロックに分割し、
前記２次元ブロックを複数個毎にまとめたものを処理単位ブロックとして複数の処理単位ブロックを取得し、
前記符号化部は、前記光線情報を複数の処理単位ブロックに分割し、前記複数の処理単位ブロックの各々に対して第１の圧縮符号化を施して被写体に関連する第１の画像情報を構成する第１のブロック単位情報を取得する第１の符号化処理と、前記複数の処理単位ブロックの各々に対して第２の圧縮符号化を施して前記第１の画像情報とは異なる種類の第２の画像情報を構成する第２のブロック単位情報を取得する第２の符号化処理とを前記処理単位ブロック毎に実行することを特徴とする電子カメラ。
【請求項９】
画像データに基づいて画像を表示する表示部と、
前記光線情報のうち前記第１の画像情報の生成に用いる光線情報に応じた画像データに画像処理を施して得られた画像データをライブビュー画像として前記表示部に表示させる表示処理部と、
をさらに具備することを特徴とする請求項８に記載の電子カメラ。
【請求項１０】
前記符号化部は、前記光線情報のうち前記第１の画像情報の生成に用いる光線情報に応じた画像データに画像処理を施して得られた画像データを符号化してサムネイル画像データを生成することを特徴とする請求項８に記載の電子カメラ。
【請求項１１】
前記第１の画像情報、前記第２の画像情報、及び前記サムネイル画像データを記録媒体に記録する記録部をさらに具備することを特徴とする請求項１０に記載の電子カメラ。
【請求項１２】
被写体からの光線が所定の面に入射した際の該面上での位置情報と前記面に入射した角度情報とを含む光線情報を符号化する処理をコンピュータに実行させるための符号化プログラムであって、
前記被写体からの光線を撮像素子により受光することにより得られる２次元配列のピクセルデータである前記光線情報を、前記ピクセルデータを複数個含み、前記被写体より異なる方向へ広がる前記光線の角度の情報が含まれる複数の２次元ブロックに分割する手順と、
前記２次元ブロックを複数個毎にまとめたものを処理単位ブロックとして複数の処理単位ブロックを取得する手順と、
前記複数の処理単位ブロックの各々に対して第１の圧縮符号化を施して前記被写体に関連する第１の画像情報を構成する第１のブロック単位情報を取得する第１の符号化処理と、前記複数の処理単位ブロックの各々に対して第２の圧縮符号化を施して前記第１の画像情報とは異なる種類の第２の画像情報を構成する第２のブロック単位情報を取得する第２の符号化処理とを前記処理単位ブロック毎に実行する手順と、
を前記コンピュータに実行させるための符号化プログラム。
【請求項１３】
被写体からの光線が所定の面に入射した際の該面上での位置情報と前記面に入射した角度情報とを含む符号化された光線情報を復号する復号方法であって、
前記被写体からの光線を撮像素子により受光することにより得られる２次元配列のピクセルデータである前記光線情報を、前記ピクセルデータを複数個含み、前記被写体より異なる方向へ広がる前記光線の角度の情報が含まれる複数の２次元ブロックに分割し、
前記２次元ブロックを複数個毎にまとめたものを処理単位ブロックとして複数の処理単位ブロックを取得し、
所定の処理単位ブロック毎に、前記光線情報を符号化して得られた前記被写体の符号化された第１の画像情報を復号して前記第１の復号画像情報を構成する第１のブロック単位情報を生成する第１の復号処理と、前記所定の処理単位ブロック毎に、前記被写体に関連し前記第１の画像情報とは異なる種類の符号化された第２の画像情報を復号して前記第２の復号画像情報を構成する第２のブロック単位情報を生成する第２の復号処理とを実行することを特徴とする復号方法。
【請求項１４】
前記第２の復号処理は、前記第１の復号画像情報に基づいて前記第２の画像情報を復号することを特徴とする請求項１３に記載の復号方法。
【請求項１５】
前記第１の復号処理は、非可逆圧縮処理に対応した復号処理であり、
前記第２の復号処理は、可逆圧縮処理に対応した復号処理であることを特徴とする請求項１３に記載の復号方法。
【請求項１６】
前記第１の復号処理は、前記第１の復号画像情報として、前記処理単位ブロックを構成する複数の２次元ブロックデータの各々の所定のピクセルデータを生成する処理であり、
前記第２の復号処理は、前記第２の復号画像情報として、前記複数の２次元ブロックデータの各々について、前記生成された所定のピクセルデータに基づいて、前記所定のピクセルデータ以外のその他のピクセルデータを生成する処理であることを特徴とする請求項１３に記載の復号方法。
【手続補正２】
【補正対象書類名】明細書
【補正対象項目名】００２２
【補正方法】削除
【補正の内容】
【手続補正３】
【補正対象書類名】明細書
【補正対象項目名】００２３
【補正方法】変更
【補正の内容】
【００２３】
上述した目的を達成するために、本発明の第１の観点の符号化方法は、被写体からの光線が所定の面に入射した際の該面上での位置情報と前記面に入射した角度情報とを含む光線情報を符号化する符号化方法であって、前記被写体からの光線を撮像素子により受光することにより得られる２次元配列のピクセルデータである前記光線情報を、前記ピクセルデータを複数個含み、前記被写体より異なる方向へ広がる前記光線の角度の情報が含まれる複数の２次元ブロックに分割し、前記２次元ブロックを複数個毎にまとめたものを処理単位ブロックとして複数の処理単位ブロックを取得し、前記複数の処理単位ブロックの各々に対して第１の圧縮符号化を施して前記被写体に関連する第１の画像情報を構成する第１のブロック単位情報を取得する第１の符号化処理と、前記複数の処理単位ブロックの各々に対して第２の圧縮符号化を施して前記第１の画像情報とは異なる種類の第２の画像情報を構成する第２のブロック単位情報を取得する第２の符号化処理とを前記処理単位ブロック毎に実行することを特徴とする。
【手続補正４】
【補正対象書類名】明細書
【補正対象項目名】００２４
【補正方法】変更
【補正の内容】
【００２４】
また、上述した目的を達成するために、本発明の第２の観点の電子カメラは、フォーカスレンズと、前記フォーカスレンズの焦点位置に配置され複数のマイクロレンズからなるマイクロレンズアレイと、前記フォーカスレンズと前記複数のマイクロレンズの各々を順に通って形成された被写体像を電気信号に変換する２次元配置された複数のピクセルからなる撮像素子と、前記複数のピクセルの受光結果に応じた光線情報を符号化する符号化部とを具備し、前記光線情報は、前記フォーカスレンズと前記複数のマイクロレンズの各々を通って前記複数のピクセルに入射した被写体からの光線が前記マイクロレンズアレイの面に入射した際の該面上での位置情報と前記面に入射した角度情報との情報を含み、前記被写体からの光線を撮像素子により受光することにより得られる２次元配列のピクセルデータである前記光線情報を、前記ピクセルデータを複数個含み、前記被写体より異なる方向へ広がる前記光線の角度の情報が含まれる複数の２次元ブロックに分割し、前記２次元ブロックを複数個毎にまとめたものを処理単位ブロックとして複数の処理単位ブロックを取得し、前記符号化部は、前記光線情報を複数の処理単位ブロックに分割し、前記複数の処理単位ブロックの各々に対して第１の圧縮符号化を施して被写体に関連する第１の画像情報を構成する第１のブロック単位情報を取得する第１の符号化処理と、前記複数の処理単位ブロックの各々に対して第２の圧縮符号化を施して前記第１の画像情報とは異なる種類の第２の画像情報を構成する第２のブロック単位情報を取得する第２の符号化処理とを前記処理単位ブロック毎に実行することを特徴とする。
【手続補正５】
【補正対象書類名】明細書
【補正対象項目名】００２５
【補正方法】変更
【補正の内容】
【００２５】
また、上述した目的を達成するために、本発明の第３の観点の符号化プログラムは、被写体からの光線が所定の面に入射した際の該面上での位置情報と前記面に入射した角度情報とを含む光線情報を符号化する処理をコンピュータに実行させるための符号化プログラムであって、前記被写体からの光線を撮像素子により受光することにより得られる２次元配列のピクセルデータである前記光線情報を、前記ピクセルデータを複数個含み、前記被写体より異なる方向へ広がる前記光線の角度の情報が含まれる複数の２次元ブロックに分割する手順と、前記２次元ブロックを複数個毎にまとめたものを処理単位ブロックとして複数の処理単位ブロックを取得する手順と、前記複数の処理単位ブロックの各々に対して第１の圧縮符号化を施して前記被写体に関連する第１の画像情報を構成する第１のブロック単位情報を取得する第１の符号化処理と、前記複数の処理単位ブロックの各々に対して第２の圧縮符号化を施して前記第１の画像情報とは異なる種類の第２の画像情報を構成する第２のブロック単位情報を取得する第２の符号化処理とを前記処理単位ブロック毎に実行する手順とを前記コンピュータに実行させる。
【手続補正６】
【補正対象書類名】明細書
【補正対象項目名】００２６
【補正方法】変更
【補正の内容】
【００２６】
また、上述した目的を達成するために、本発明の第４の観点の復号方法は、被写体からの光線が所定の面に入射した際の該面上での位置情報と前記面に入射した角度情報とを含む符号化された光線情報を復号する復号方法であって、前記被写体からの光線を撮像素子により受光することにより得られる２次元配列のピクセルデータである前記光線情報を、前記ピクセルデータを複数個含み、前記被写体より異なる方向へ広がる前記光線の角度の情報が含まれる複数の２次元ブロックに分割し、前記２次元ブロックを複数個毎にまとめたものを処理単位ブロックとして複数の処理単位ブロックを取得し、所定の処理単位ブロック毎に、前記光線情報を符号化して得られた前記被写体の符号化された第１の画像情報を復号して前記第１の復号画像情報を構成する第１のブロック単位情報を生成する第１の復号処理と、前記所定の処理単位ブロック毎に、前記被写体に関連し前記第１の画像情報とは異なる種類の符号化された第２の画像情報を復号して前記第２の復号画像情報を構成する第２のブロック単位情報を生成する第２の復号処理とを実行することを特徴とする。